【手続補正書】
【提出日】平成26年9月4日(2014.9.4)
【手続補正１】
【補正対象書類名】特許請求の範囲
【補正対象項目名】全文
【補正方法】変更
【補正の内容】
【特許請求の範囲】
【請求項１】
回転可能に設けられ、前記回転の軸方向に長さを有し、エネルギー線を透過可能なローラと、
前記ローラとの間に、前記軸方向に長さを有するスリット領域を形成するように前記ローラに対向して配置され、少なくとも前記スリット領域で、前記エネルギー線のエネルギーにより硬化する材料を保持可能な保持部材と、
前記ローラを介して、前記スリット領域に選択的に前記エネルギー線を照射して前記材料を硬化させることでシート状の構造物を形成する照射ユニットと、
前記形成された構造物を巻き取る巻取リールと
を具備する構造物形成装置。
【請求項２】
請求項１に記載の構造物形成装置であって、
前記ローラ及び前記保持部材の間にベースフィルムを供給する供給リールをさらに具備する構造物形成装置。
【請求項３】
請求項２に記載の構造物形成装置であって、
前記巻取リールは、前記ベースフィルム上に形成された前記構造物を、前記ベースフィルムとともに巻き取る
構造物形成装置。
【請求項４】
請求項１から３のうちいずれか１項に記載の構造物形成装置であって、
前記照射ユニットは、前記エネルギー線としてレーザービームを発生する第１の光源を有する
構造物形成装置。
【請求項５】
請求項４に記載の構造物形成装置であって、
前記照射ユニットは、前記第１の光源から発生した前記レーザービームを前記軸方向に走査する走査機構をさらに有する
構造物形成装置。
【請求項６】
請求項４または５に記載の構造物形成装置であって、
前記保持部材は、レーザービームを透過可能な材質を有し、
前記照射ユニットは、前記保持部材を介して前記スリット領域で保持された前記材料に前記エネルギー線としてレーザービームを照射するための第２の光源をさらに有する
構造物形成装置。
【請求項７】
請求項４から６のうちいずれか１項に記載の構造物形成装置であって、
前記材料は光硬化性樹脂であり、光吸収剤を含み、
前記照射ユニットは、前記レーザービームのパワーを制御することにより、前記スリット領域において形成される、前記レーザービームの光軸方向における構造物の深さを連続的に制御する制御部を含む
構造物形成装置。
【請求項８】
請求項１から７のうちいずれか１項に記載の構造物形成装置であって、
前記スリット領域に前記材料を供給する供給機構をさらに具備する構造物形成装置。
【請求項９】
請求項１から８のうちいずれか１項に記載の構造物形成装置であって、
前記スリット領域から出力された前記構造物に付着した未硬化の材料を除去する除去ユニットをさらに具備する構造物形成装置。
【請求項１０】
請求項９に記載の構造物形成装置であって、
前記除去ユニットは、前記未硬化の材料を真空作用により吸引するノズルを有する
構造物形成装置。
【請求項１１】
請求項１０に記載の構造物形成装置であって、
前記除去ユニットは、メッシュ材を有する、前記ローラ及び前記巻取リールの間の前記構造物の移送路上に回転可能に設けられた、前記スリット領域から出力された前記構造物にテンションを与えるパイプ状のメッシュローラをさらに有し、
前記ノズルは、前記メッシュローラ内に配置され、前記メッシュローラの前記メッシュ材を介して前記未硬化の材料を吸引する
構造物形成装置。
【請求項１２】
請求項４に記載の構造物形成装置であって、
前記保持部材は、前記レーザービームを透過可能な材質を有し、
前記構造物形成装置は、
前記スリット領域から出力された前記構造物に付着した未硬化の材料を除去する除去ユニットと、
前記除去ユニットにより前記未硬化の材料が除去された前記構造物に、前記保持部材から出射した前記レーザービームを入射させるように、前記未硬化の材料が除去された前記構造物を前記巻取リールまで移送する移送機構と
をさらに具備する構造物形成装置。
【請求項１３】
請求項１２に記載の構造物形成装置であって、
前記移送機構で移送される前記構造物への、前記レーザービームの入射を補助する反射部材または導光部材をさらに具備する
構造物形成装置。
【請求項１４】
回転可能に設けられた、前記回転の軸方向に長さを有する、エネルギー線を透過可能なローラと、前記ローラに対向して配置された保持部材との間に形成された、前記軸方向に長さを有するスリット領域で、記エネルギー線のエネルギーにより硬化する材料を保持し、
前記ローラを介して、前記スリット領域に選択的に前記エネルギー線を照射して前記材料を硬化させることでシート状の構造物を形成し、
巻取リールにより、前記形成された構造物を巻き取る
構造物の製造方法。
【請求項１５】
回転可能に設けられた、前記回転の軸方向に長さを有する、エネルギー線を透過可能なローラと、前記ローラに対向して配置された保持部材との間に形成された、前記軸方向に長さを有するスリット領域で、前記エネルギー線のエネルギーにより硬化する材料を保持し、
前記ローラを介して、前記スリット領域に選択的に前記エネルギー線を照射して前記材料を硬化させることでシート状の構造物を形成し、
巻取リールにより、前記形成された構造物を巻き取る
方法により製造された構造物。
【手続補正２】
【補正対象書類名】明細書
【補正対象項目名】０００２
【補正方法】変更
【補正の内容】
【０００２】
特許文献１に記載された光学フィルムの製造方法では、押出機に取り付けられたダイスからフィルム状に押し出された溶融状態のポリカーボネート樹脂でなるフィルムが、表面に彫刻形状が設けられた成形ロールと、弾性ロールとの間に挟み込まれる。これにより、その成形ロールの表面の彫刻形状が、フィルムに転写される（例えば、特許文献１の明細書段落[００３３]参照）。
【手続補正３】
【補正対象書類名】明細書
【補正対象項目名】００２１
【補正方法】変更
【補正の内容】
【００２１】
【図１】図１は、本技術の第１の実施形態に係る構造物形成装置の構成を示す模式図である。
【図２】図２は、図１に示した構造物形成装置の側面図である。
【図３】図３は、本技術の第２の実施形態に係る構造物形成装置を示す模式図である。
【図４】図４は、本技術の第３の実施形態に係る構造物形成装置を示す模式図である。
【図５】図５は、本技術の第４の実施形態に係る構造物形成装置を示す模式図である。
【図６】図６は、本技術の第５の実施形態に係る構造物形成装置を示す模式図である。
【図７】図７は、本技術の第７の実施形態に係る構造物形成装置を示す模式図である。
【図８】図８は、例えば図５または６で示した構造物形成装置により形成された、２層構造の構造物の例を示す斜視図である。
【図９】図９は、図８に示した一方向に長い構造物が縦横に配置された形状を有するシート状の構造物である。
【図１０】図１０は、構造物形成装置で形成することができる、別の例に係る構造物を示す斜視図である。
【図１１】図１１は、構造物形成装置で形成することができる、さらに別の例に係る構造物を示す斜視図である。
【手続補正４】
【補正対象書類名】明細書
【補正対象項目名】００２４
【補正方法】変更
【補正の内容】
【００２４】
（構造物形成装置の構成）
図１は、本技術の第１の実施形態に係る構造物形成装置の構成を示す模式図である。図２は、図１に示した構造物形成装置１００の側面図である。
【手続補正５】
【補正対象書類名】明細書
【補正対象項目名】００３１
【補正方法】変更
【補正の内容】
【００３１】
なお、照射ユニット１０は、レーザービームＬＢの焦点を合わせるための光学系を有していてもよい。この場合、レーザービームＬＢはスリット領域で焦点を合わせるように、その光学系が設計される。
【手続補正６】
【補正対象書類名】明細書
【補正対象項目名】００５１
【補正方法】変更
【補正の内容】
【００５１】
供給リール５０はその回転のために駆動されてもよいし、巻取リール４０の回転駆動力によって駆動されてもよい。ベースフィルムＦは、ＰＥＴ（Polyethylene terephthalate）、ＰＶＡ（Polyvinyl alcohol）等が用いられる。供給リール５０は、図３中、白の矢印で示すように、ベースフィルムＦにバックテンションをかけている。
【手続補正７】
【補正対象書類名】明細書
【補正対象項目名】００５９
【補正方法】変更
【補正の内容】
【００５９】
本実施形態に係る構造物形成装置３００は、第１の実施形態におけるパイプ部材２４等の代わりとして、回転しない保持部材６０を備えている。この場合、ローラ２２及び保持部材６０の間の隙間２３に材料Ｒが保持され、その隙間２３にスリット領域が形成される。保持部材６０は、少なくとも、ローラ２２に対向する面である、実質的に平面状に形成された、材料Ｒの保持面６１を有する。また、本実施形態でも、ベースフィルムＦを供給する供給リール５０を備える。
【手続補正８】
【補正対象書類名】明細書
【補正対象項目名】００７８
【補正方法】変更
【補正の内容】
【００７８】
本実施形態では、バキュームノズル８７を、メッシュローラ８６の軸方向（Ｙ軸方向）に沿って移動させる移動機構が設けられていてもよい。バキュームノズルは複数設けられていてもよい。あるいは、複数のノズルが一体となって構成された、１つまたは複数のノズルユニットがメッシュローラ８６内に設けられていてもよい。洗浄ノズル３５はなくてもよい。
【手続補正９】
【補正対象書類名】明細書
【補正対象項目名】００８１
【補正方法】変更
【補正の内容】
【００８１】
パイプ部材２４から出射されたレーザービームは、まず、反射板７３で反射される。反射板７３で反射されたレーザービームの一部は構造物に入射し、また、レーザービームの他の一部は、さらに２つの反射板７１及び７２間で何度か反射され、再度、構造物に入射する。これにより、構造物を形成するためのレーザービームのエネルギーの使用効率を高めることができる。
【手続補正１０】
【補正対象書類名】明細書
【補正対象項目名】００８５
【補正方法】変更
【補正の内容】
【００８５】
この構造物は、グレースケール露光により形成された構造物であり、上下対称形状を有しており、上層部１０１及び下層部１０２を含む２層構造を有している。構造物の１単位（１セル）は、２つの円錐部１０５及び１０７と、これらの間に接続されたブリッジ部１０６とを有する。そして上層部１０１の円錐部１０５と、下層部１０２の円錐部１０７とが連結されている。この構造物は、レーザービームのＹ軸方向（図２等参照）に沿った１回のスキャンで形成されるサイズの構造物である。